(57)【要約】【課題】浴室に使用される浴室暖房乾燥機において、快適性の向上を目的とする。【解決手段】浴室１の天井２に装置本体３が設置される浴室暖房乾燥機において、給気送風部９は給気吸込口１０から吸い込んだ空気を給気吹出口１１を介して浴室１に送風し、制御部８は、排気送風部７および給気送風部９を制御し、給気吹出口１１は、装置本体３と離間して設けられ、給気吸込口１０は、浴室１以外の他室に設けられ、浴室１は、水栓１９が設けられる第１壁面１２と、第１壁面１２に対向する第２壁面１３を備え、給気吹出口１１は、装置本体３と第２壁面１３との間における天井２に設けられる構成にしたことにより、入浴者方向への送風が容易になる浴室暖房乾燥機を得られる。【選択図】図１
2019074234.tif 000002
【特許請求の範囲】
【請求項１】
浴室の天井に装置本体が設置される浴室暖房乾燥機において、
前記装置本体は、吸込口と、排気口と、排気送風部と、制御部と、を備え、
前記排気送風部は、前記吸込口から吸い込んだ前記浴室の空気を前記排気口を介して屋外に排出し、
前記装置本体は給気送風部と接続され、
前記給気送風部は、給気吸込口から吸い込んだ空気を給気吹出口を介して前記浴室に送風し、
前記制御部は、前記排気送風部および前記給気送風部を制御し、
前記給気吹出口は、前記装置本体と離間して設けられ、
前記給気吸込口は、前記浴室以外の他室に設けられ、
前記浴室は、水栓が設けられる第１壁面と、前記第１壁面に対向する第２壁面と、を備え、
前記給気吹出口は、前記装置本体と前記第２壁面との間における天井に設けられることを特徴とする浴室暖房乾燥機。
【請求項２】
前記浴室は、浴槽が設けられる浴槽部と、前記水栓が設けられる洗い場部と、を含み、
前記給気吹出口は、前記洗い場部側の天井ではなく、前記浴槽部側の天井に設けられることを特徴とする請求項１に記載の浴室暖房乾燥機。
【請求項３】
前記給気吹出口は、前記浴槽の内壁の第２壁面側の上端と前記第２壁面との間における天井に設けられることを特徴とする請求項２に記載の浴室暖房乾燥機。
【請求項４】
前記給気吹出口は、前記浴槽の長手方向に直交する方向の辺の長さが前記浴槽の短手方向に直交する方向の辺の長さ以上の矩形であることを特徴とする請求項１〜３のいずれか１項に記載の浴室暖房乾燥機。
【請求項５】
前記給気吹出口から吹き出される空気は、前記第２壁面上方側から前記第１壁面下方側に向かって斜め方向に送風されることを特徴とする請求項１〜４のいずれか１項に記載の浴室暖房乾燥機。
【請求項６】
前記制御部と電気的に接続される第１操作部と、第２操作部と、を備え、
前記第１操作部は、前記浴室以外の他室に設けられ、前記装置本体の運転または停止を前記制御部に指示し、
前記第２操作部は、前記浴室に設けられ、前記給気送風部の運転または停止を前記制御部に指示し、
前記第２操作部により前記給気送風部の運転または停止の指示があった後、所定時間内において、前記第１操作部による前記装置本体の運転または停止の指示が無効になることを特徴とする請求項１〜５のいずれか１項に記載の浴室暖房乾燥機。
【請求項７】
前記給気送風部は、前記装置本体に隣接して設けられることを特徴とする請求項１〜６のいずれか１項に記載の浴室暖房乾燥機。
【請求項８】
浴室の天井に装置本体が設置される浴室暖房乾燥機において、
前記装置本体は、吸込口と、排気口と、排気送風部と、制御部と、を備え、
前記排気送風部は、前記吸込口から吸い込んだ前記浴室の空気を前記排気口を介して屋外に排出し、
前記装置本体は給気送風部と接続され、
前記給気送風部は、給気吸込口から吸い込んだ空気を給気吹出口を介して前記浴室に送風し、
前記制御部は、前記排気送風部および前記給気送風部を制御し、
前記給気吹出口は、前記装置本体と離間して設けられ、
前記給気吸込口は、前記浴室以外の他室に設けられ、
前記浴室は、浴槽の短辺と接する第１壁面と、前記第１の壁面に対向する第２壁面と、を備え、
前記給気吹出口は、前記装置本体と前記第２壁面との間における天井に設けられることを特徴とする浴室暖房乾燥機。
【発明の詳細な説明】
【技術分野】
【０００１】
本発明は、浴室に使用される浴室暖房乾燥機に関するものである。
【背景技術】
【０００２】
従来、この種の浴室暖房乾燥機は、浴室の天井に設置され、浴室内の暖房や衣類の乾燥に用いるものが知られている（例えば、特許文献１参照）。
【０００３】
以下、浴室暖房乾燥機について図８を参照しながら説明する。
【０００４】
図８に示すように浴室暖房乾燥機１１０の装置本体１１１は浴室１０１の天井１０２に設置され、装置本体１１１は、浴室１０１の空気を吸い込む吸込み口と、吸込んだ空気を浴室１０１に吹き出す吹出し口１２９を有している。また、装置本体１１１は、洗い場側へ風向を変化させる固定グリル（図示せず）と、固定グリルを通過した空気を吹出する吹き出し口１２９に回動可能に支持された可動ルーバー１３０と、を有し、浴室内に送風する。
【先行技術文献】
【特許文献】
【０００５】
【特許文献１】特開２０１６‐１８６３８０号公報
【発明の概要】
【発明が解決しようとする課題】
【０００６】
このような従来の浴室暖房乾燥機においては、衣類乾燥や暖房や涼風のために洗い場へ向けて送風することが目的であり、吹出し口から吐出される風を浴槽内の入浴者など直行する方向に制御するためには、吹出しグリルや可動する風向ルーバーを備えるなど、構造が複雑になる課題があった。
【０００７】
また、装置本体の設置位置のズレにより風向が変化したり、浴室の中央付近に取り付けられることで入浴者の前方から風が吐出されるため、入浴者が息苦しさを感じたりするなどの課題があった。
【０００８】
そこで本発明は、上記従来の課題を解決するものであり、構造が簡単で入浴者の快適性が向上する浴室暖房乾燥機を提供することを目的とする。
【課題を解決するための手段】
【０００９】
そして、この目的を達成するために、本発明の一態様に係る浴室暖房乾燥機は、浴室の天井に装置本体が設置される浴室暖房乾燥機において、前記装置本体は、吸込口と、排気口と、排気送風部と、制御部と、を備え、前記排気送風部は、前記吸込口から吸い込んだ前記浴室の空気を前記排気口を介して屋外に排出し、前記装置本体は給気送風部と接続され、前記給気送風部は、給気吸込口から吸い込んだ空気を給気吹出口を介して前記浴室に送風し、前記制御部は、前記排気送風部および前記給気送風部を制御し、前記給気吹出口は、前記装置本体と離間して設けられ、前記給気吸込口は、前記浴室以外の他室に設けられ、前記浴室は、水栓が設けられる第１壁面と、前記第１壁面に対向する第２壁面と、を備え、前記給気吹出口は、前記装置本体と前記第２壁面との間における天井に設けられるとしたものであり、これにより所期の目的を達成するものである。
【発明の効果】
【００１０】
本発明によれば、入浴者の快適性が向上するという効果を得ることができる。
【図面の簡単な説明】
【００１１】
【図１】本発明の実施の形態１の浴室暖房乾燥機を浴室に設置した状態を示す側面図
【図２】同浴室暖房乾燥機が設置された浴室の天井裏から見た構成図
【図３】同浴室暖房乾燥機の排気風路を示す構成断面図
【図４】同浴室暖房乾燥機の給気風路を示す構成断面図
【図５】同浴室暖房乾燥機を浴室に設置した状態を示す側面図
【図６】同浴室暖房乾燥機が設置された天井を示す構成図
【図７】同浴室暖房乾燥機を浴室に設置した状態を示す図
【図８】従来の浴室暖房乾燥機を示す図
【発明を実施するための形態】
【００１２】
本発明の一態様に係る浴室暖房乾燥機は、浴室の天井に装置本体が設置される浴室暖房乾燥機において、前記装置本体は、吸込口と、排気口と、排気送風部と、制御部と、を備え、前記排気送風部は、前記吸込口から吸い込んだ前記浴室の空気を前記排気口を介して屋外に排出し、前記装置本体は給気送風部と接続され、前記給気送風部は、給気吸込口から吸い込んだ空気を給気吹出口を介して前記浴室に送風し、前記制御部は、前記排気送風部および前記給気送風部を制御し、前記給気吹出口は、前記装置本体と離間して設けられ、前記給気吸込口は、前記浴室以外の他室に設けられ、前記浴室は、水栓が設けられる第１壁面と、前記第１壁面に対向する第２壁面と、を備え、前記給気吹出口は、前記装置本体と前記第２壁面との間における天井に設けられる、という構成を有する。
【００１３】
これにより、構造を複雑にすることなく、入浴者方向への送風が容易になるという効果を有する。
【００１４】
また、前記浴室は、浴槽が設けられる浴槽部と、前記水栓が設けられる洗い場部と、を含み、前記給気吹出口は、前記洗い場部側の天井ではなく、前記浴槽部側の天井に設けられる、という構成としてもよい。
【００１５】
これにより、浴槽部側にいる入浴者方向への送風がより容易になる。
【００１６】
また、前記給気吹出口は、前記浴槽の内壁の第２壁面側の上端と前記第２壁面との間における天井に設けられる、という構成としてもよい。
【００１７】
これにより、入浴者の後方から送風することが出来るため、入浴者が息苦しさを感じにくい、という効果を有する。
【００１８】
また、前記給気吹出口は、前記浴槽の長手方向に直交する方向の辺の長さが前記浴槽の短手方向に直交する方向の辺の長さ以上の矩形である、という構成としてもよい。
【００１９】
これにより、浴槽の奥行き方向に広く給気風を送風できることとなるので、入浴者が全身に快適感を感じることができる。さらに、入浴者の体格等の違いによって頭位置が横方向にずれることにも対応できる、という効果を有する。
【００２０】
また、前記給気吹出口から吹き出される空気は、前記第２壁面上方側から前記第１壁面下方側に向かって斜め方向に送風される、という構成としてもよい。
【００２１】
これにより、浴槽の長手方向に広く送風できることとなるので、入浴者の体格の違いに幅広く対応できる、という効果を有する。
【００２２】
また、前記制御部と電気的に接続される第１操作部と、第２操作部と、を備え、前記第１操作部は、前記浴室以外の他室に設けられ、前記装置本体の運転または停止を前記制御部に指示し、前記第２操作部は、前記浴室に設けられ、前記給気送風部の運転または停止を前記制御部に指示し、前記第２操作部により前記給気送風部の運転の指示があった後、所定時間内において、前記第１操作部による前記装置本体の運転または停止の指示が無効になる、という構成としてもよい。
【００２３】
これにより、給気送風運転時に、浴室にいる入浴者の意に反して、他室側からの操作によって勝手に運転が変わることを抑制するので、より快適な外気浴を提供できる、という効果を有する。
【００２４】
また、前記給気送風部は、前記装置本体に隣接して設けられる、という構成としてもよい。
【００２５】
これにより、浴室天井での省スペース化が可能になる、という効果を有する。
【００２６】
以下、本発明の実施の形態について図面を参照しながら説明する。
【００２７】
（実施の形態１）
まず、図１および図２を用いて、本発明の実施の形態１に係る浴室暖房乾燥機の構成について説明する。
【００２８】
図１は、本発明の実施の形態１の浴室暖房乾燥機を浴室１に設置した状態を示す側面図、図２は浴室１の天井裏から見た図である。
【００２９】
図１および図２に示すように、浴室１は、浴槽部２５と、洗い場部２６と、第１壁面１２と、第２壁面１３と、給気吹出口１１と、を有する。
【００３０】
浴槽部２５には、浴槽２１等が設けられ、洗い場部２６には、水栓１９等が設けられる。
【００３１】
第１壁面１２は、例えば水栓１９やカウンター２０が取り付けられている壁面であり、第２壁面１３は、第１壁面１２と対向する壁面である。
【００３２】
浴槽２１において、浴槽２１の内壁である浴槽内壁２３と第２壁面１３との間の天井２側の平面部の内壁側端部（浴槽の内壁の第２壁面側の上端）を浴槽上端２２とする。また、浴槽上端２２に対向する位置にも浴槽内壁の上端があり、その端部を第１壁面側端部とする。
【００３３】
給気吹出口１１は、浴室１の天井２に、装置本体３と離間して設けられる。ここで、給気吹出口１１は、装置本体３と第２壁面１３との間における天井２に設けられる。装置本体３と第２壁面１３との間における天井２に給気吹出口１１を設ける、すなわち、入浴者の頭部付近の天井２に給気吹出口１１を設けることで、風向板の制御をすることなく、入浴者方向への送風が容易になるという効果を奏する。
【００３４】
なお、第１壁面１２は、浴槽２１の短辺と接している（浴槽２１の短辺側にある）壁面ということもできる。このとき、水栓１９等は、第１壁面１２に設けられず、他の壁面に設けられてもよい。
【００３５】
浴室暖房乾燥機の装置本体３は、浴室１の天井２に設置される。装置本体３は、フロントパネル４と、吸込口５と、排気口６と、排気送風部７と、制御部８と、を備えている。
【００３６】
フロントパネル４は、浴室１に露出するように装置本体３に設けられる。
【００３７】
吸込口５は、装置本体３とフロントパネル４とで仕切られる空間で、浴室１内の空気が吸い込まれる。
【００３８】
装置本体３は内部に、排気送風部７を備えている。排気送風部７は、排気風路１６に接続される。排気風路１６は、吸込口５から吸込んだ浴室１の空気を排気口６を介して屋外に排出（排気）する。
【００３９】
制御部８は、例えば装置本体３の上面に設けられ、排気送風部７および後述する給気送風部９等の運転を制御する。
【００４０】
また、浴室暖房乾燥機は、給気送風部９と、第１操作部１７と、第２操作部１８と、を備えている。
【００４１】
給気送風部９は、装置本体３と接続され、例えば装置本体３と隣接して点検口２４からネジ等を用いて取り付けられる。また、給気送風部９は、給気吸込口１０および給気吹出口１１と連通し、給気吸込口１０から吸い込んだ空気を給気吹出口１１を介して浴室１に送風する。
【００４２】
給気吸込口１０は、浴室と隣接する他室、例えば脱衣室の天井に設置され、給気風路１４を介して給気送風部９と接続される。また、給気送風部９と給気吹出口１１とは吹出風路１５を介して連通する。
【００４３】
第１操作部１７は、他室に設置されている。第２操作部１８は、入浴者が浴槽２１内で操作可能な浴室の壁面に取り付けられている。第１操作部１７および第２操作部１８は、制御部８と接続されている。第１操作部１７は、装置本体３の運転または停止を制御部８に指示する。第２操作部１８は、給気送風部９の運転または停止を制御部８に指示する。第１操作部１７および第２操作部１８より指示を受けた制御部８は、排気送風部７や給気送風部９等の制御動作を行う。
【００４４】
また、図３に示すように、装置本体３は内部に、循環風路２７と、加熱部２８と、風路切替手段２９と、を備えている。
【００４５】
制御部８は、第１操作部１７の操作によりあらかじめ設定されたプログラムに基づいて、風路切替手段２９や加熱部２８の入り切りを制御し、例えば暖房、乾燥、排気等の運転の制御動作を行う。
【００４６】
例えば暖房運転では、吸込口５から吸い込まれた空気は、加熱部２８で加熱され、循環風路２７を通って浴室１内に送風される。
【００４７】
ここで、図３〜図６を用いて、本実施の形態に係る浴室暖房乾燥機の空気の流れについて説明する。
【００４８】
浴室１から排気される空気は、図３に示すように、排気送風部７によって吸込口５から装置本体３内に吸い込まれ、排気口６および排気風路１６を通過して屋外に排気される。
【００４９】
次に、浴室１に空気を給気する給気運転について、図４〜図６を用いて詳述する。
【００５０】
使用者が第２操作部１８を操作すると、給気送風部９が運転を開始する。給気送風部９の運転により、他室の空気は、給気吸込口１０より給気風路１４を介して給気送風部９内に吸い込まれる。その後、他室の空気は給気送風部９によって、吹出風路１５を通り給気吹出口１１から浴室１内に送風される。
【００５１】
なお、給気吹出口１１は浴槽部２５側の天井２に設けられていてもよい。このとき、給気吹出口１１は、第２壁面１３と浴槽上端２２との間（入浴者の頭部付近）に位置しており、この位置は入浴者の頭部よりも第２壁面１３側の位置となっている。この構成によれば、入浴者の後方から送風するため、入浴者が息苦しさを感じることを低減できる。なお、このとき第２壁面１３と浴槽上端２２との間における天井に給気吹出口１１の一部が入っていればよい。また、本実施例では第２側面１３側に入浴者の頭部があるものとして説明したが、第１側面１２側に入浴者の頭部があるときは、給気吹出口１１を第１側面１２側に設けることで同様の効果を奏する。
【００５２】
また、図７に示すように、給気吹出口１１は矩形形状であってもよい。このとき、給気吹出口１１において、浴槽２１の長手方向に直行する方向（以降、奥方向）の辺の長さが、短辺方向に直行する方向（以降、横方向）の辺の長さ以上となっている。これにより、浴槽２１の奥行き方向に広く給気風を送風できることとなるので、入浴者が全身に快適感を感じることができる。さらに、入浴者の体格等の違いにより、頭位置が横方向にずれることにも対応できる、という効果を有する。
【００５３】
また、給気吹出口１１は、例えば内部にフィン（図示せず）を備え、第２壁面１３上方側から第１壁面１２下方側に向かって斜め向きに風を吹出す構造となっていてもよい。これにより、浴槽２１の長手方向に広く送風できることとなるので、入浴者の体格の違いに幅広く対応できる。
【００５４】
また、第２操作部１８により給気送風部９の運転または停止の指示があった後、所定時間内において、第１操作部１７による装置本体３の運転または停止の指示が無効になる、という構成としてもよい。すなわち、第２操作部１８により給気運転の指示があった後、所定時間内において、第１操作部１７では操作できないという構成としてもよい。これにより給気送風運転時に、浴室１にいる入浴者の意思によらず、他室側からの操作によって運転が変わることを抑制するので、より快適な外気浴を提供できる。ここで、所定時間とは、例えば５〜１２０分或いは１０〜２０分であるが、時間は適宜設定できるものとする。
【００５５】
なお、給気送風部９は、装置本体３に隣接して設けられても、離間して設けられてもよいが、隣接して設けられることが好ましい。給気送風部９が、装置本体３に隣接して設けられることにより、浴室天井での省スペース化が可能になるという効果を奏する。
【００５６】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００５７】
本発明にかかる浴室暖房乾燥機は、構造が簡単で入浴者の快適性が向上することが出来る浴室暖房乾燥機等に有用である。
【符号の説明】
【００５８】
１    浴室
２    天井
３    装置本体
４    フロントパネル
５    吸込口
６    排気口
７    排気送風部
８    制御部
９    給気送風部
１０    給気吸込口
１１    給気吹出口
１２    第１壁面
１３    第２壁面
１４    給気風路
１５    吹出風路
１６    排気風路
１７    第１操作部
１８    第２操作部
１９    水栓
２０    カウンター
２１    浴槽
２２    浴槽上端
２３    浴槽内壁
２４    点検口
２５    浴槽部
２６    洗い場部
２７    循環風路
２８    加熱部
２９    風路切替手段
【図１】
2019074234.tif 000003
【図２】
2019074234.tif 000004
【図３】
2019074234.tif 000005
【図４】
2019074234.tif 000006
【図５】
2019074234.tif 000007
【図６】
2019074234.tif 000008
【図７】
2019074234.tif 000009
【図８】
2019074234.tif 000010